(57)【要約】【課題】  本考案は、浮き子式フロートバルブに給水源を容易に接続し、浸透型給水法、水面設定型給水法の複数給水法にも、既存の浸透型給水チューブ、既存の水槽または水盤などと組み合わせて適用できる多目的の簡易給水器を提供する。【解決手段】  浮き子式フロートバルブの筐体を広口ビンとしその上下にネジ孔を開け、上部孔には、インジェクタノズルを着脱交換可能な中空ネジに接続し、幅広い水源水圧に対応でき、さらに浮力体の上部に弾力性のあるスポンジを採用することにより傾斜時などの止水性能などを向上させる。下部ネジ孔については、中空ネジを装着し各種の浸透型給水チューブを接続し浸透型給水機器とすることが簡易にでき、逆に、中空ネジを取り外すことで容易に、水面設定型給水器とすることができる複数給水法を実行できる多目的給水器となる。【選択図】図１
0003127768.tif 000002
【実用新案登録請求の範囲】
【請求項１】
蓋付き広口ビンを筐体とする水位設定可能な浮き子式フロートバルブの上蓋面およびビン下部にネジ穴をあけた構造とし、中空構造を持つネジを、取り外し可能なチューブの接続口とした浸透型と水位設定式底面給水型兼用の給水器具。
【請求項２】
蓋付き広口ビンの上蓋に取り付けた請求項１の中空ネジ下面に中空円筒状のインジェクタノズルを、中空部が連続するよう取り付けた浮き子式フロートバルブ水位設定ユニットを有する給水器具。
【請求項３】
浮き子式フロートバルブ筐体内の浮力体上面に弾力性を有するスポンジを装着し下方を向いた中空円筒状のインジェクタノズルとの圧接による止水力、微小流量調節機能を有する給水器具。
【考案の詳細な説明】
【技術分野】
【０００１】  この考案は、浮き子式フロートバルブによる水面設定により、それに接続できる浸透型給水器の流量調節、あるいは、水盤もしくは水槽の水位設定を行うことにより植栽に対する底面給水や水棲の動植物に対する給水、という複数の給水方法を選択し実行できる給水器具に関するものである。
【背景技術】
【０００２】  従来、微小な流量を連続に維持し給水する器具には、底面式給水専用の植木鉢やプランタなどに組み込む一体型のものなどがあった。また、負圧差灌漑法や低正圧地中連続灌漑法として知られる浸透型給水チューブを土壌に埋設して連続給水を行う地中連続灌漑法の装置があった。
【考案の開示】
【考案が解決しようとする課題】
【０００３】  一体型の底面給水装置では、水源容量確保が困難であり構造も複雑となる傾向であった。【０００４】  さらに、浸透型給水チューブを利用する地中連続灌漑法の装置についてはタップ付きフロートバルブ式の比較的大型の水位調節装置や大型マリオット瓶などが用いられていたが持ち運びや設置などに不便であった。【０００５】  すなわち、簡易小型で汎用性を持ち、複数の給水法に対応可能で、一定高さの水面設定による安定した給水圧確保ができ、幅広く適用できる植生や水棲動植物用の給水器具はなかった。
【課題を解決するための手段】
【０００６】    浮き子式フロートバルブ構造として知られる水位設定器具において、広口ビンを筐体とし、上面と下面にそれぞれ、ネジを貫通できる孔をあける。上面孔には流量調節用インジェクタノズルを装着した中空ネジにより給水源からの導水チューブと接続する。下面孔には、止水パッキンにより、十分な水密性を確保して中空ネジを装着し、外部に導水用チューブを介し、上述の微量流量を給水できる浸透型給水チューブを接続し浸透型給水器とすることができる。さらに、下面孔の中空ネジを取り外し、設置時の倒立を防止し、水槽もしくは水盤内側に適当な水深となるように高さの調節を行い設置して、底面給水式、水棲動植物に対する給水器とする。すなわち、浸透型と水位設定型兼用の給水器である。
【考案の効果】
【０００７】  上面蓋に接合した中空状のインジェクションノズルは、先端部の中空部位断面積を調節することと浮力体浮力を調節すること等により幅広い水源水圧に対応した止水性能を持つことができるので、給水源としては簡単な雨水などの貯留タンク等を適当な高さに設置し利用できる。【０００８】  さらに、浮力体上面には弾力性を持つスポンジを取り付けることにより、インジェクションノズル先端部分との圧接状態を強くでき、浮き子式フロートバルブがある程度傾斜した状況においても十分な止水性能、微小流量調節性能を維持することが出来る。【０００９】  広口ビン筐体下面孔の中空ネジを取り外すことにより水面設定型給水器としての使用時、設置が容易になる。【００１０】  それにより、上述のように浸透型と水面設定型兼用の汎用性のある給水器具とすることができ、観賞用魚類水草などの水槽や家庭庭園などでの小型の池の水位維持など応用の範囲は広い。
【考案を実施するための最良の形態】
【００１１】  給水源に、雨水貯留なども可能な液体用容器を利用し、フロートバルブを安定作動させるだけの水圧を供給できる高さに設置し水面設定する。この水面高さは、実用上、およそフロートバルブ上面から５ｃｍ以上程度あればよく設置は容易であり特別のポンプ動力による水圧加圧などは必要とせず省エネルギーにできる。【００１２】  これに本考案の浮き子式フロートバルブを連結し、上述の２つの給水法に対する水位設定を行うことができる。すなわち、浸透型給水チューブを接続しチューブ内水圧を設定する。これにより非常に低速に浸出給水を行うことにより、降下浸透損失水が殆ど生じず節水性能が非常に高い給水器として利用できる。また、底面給水法として知られる給水手法で水槽もしくは水盤に水面を設定し植木鉢などの植栽、水棲の動植物に対して連続給水を行うことができる。
【実施例】
【００１３】  以下添付図面により概略を説明する。
浮き子式フロートバルブは、１の広口ビン蓋の中央のねじ穴１ａに７の中空のネジを７ａのチューブ接続部を上にして通し、５の固定用ナットで固定する。このとき、８の中空インジェクタノズルは、ネジ頂７ｂに接着や一体成型等の方法で中空部が中空ネジ７の中空部と連続するように接合されている。【００１４】  また、２の広口ビン容器の下部のねじ穴型の排水口２ａには、１０に示す土壌など給水対象となる媒質に対して浸透型給水を実施する場合、６の止水パッキンを中空ネジ７に通し、チューブ接続部７ａを下側に向け２ａに広口ビン容器２の内側より通し、固定用ナット５により固定する。また、１４に示す水槽もしくは水盤に対し１５に示す水面を設定して底面給水の方法を実施する場合には、中空ネジ７を広口ビン容器２よりとりはずし排水口２ａを解放することにより浮き子式フロートバルブの設置を容易にすることができる。【００１５】  ９に示す給水用水源とする液体容器は、様々な適当な形状材質のものを利用できるが、ネジ穴をその水位面下に開けそれに中空ネジ７を通し止水し固定することで簡単に給水用水源とすることができ１３の連結用ホースで接続できる。同様に、浸透型給水チューブについて、その壁面にネジ穴を開け中空ネジ７を通し止水し固定することにより簡単に浮き子式バルブに連結用ホース１３により接続できるようになる。また、４の止水用スポンジを上面に接合した３の浮力体は、広口ビン容器２の内部に収納される。【００１６】  広口ビン蓋１には空気孔１ｂがあり広口ビン容器２内は大気連通している。
給水用水源からの給水は中空インジェクタノズル８から下に放出され、広口ビン容器２内の水面が上昇し、それにより浮力体３が上昇し、止水用スポンジ４が中空インジェクタノズル８に接触する位置に上昇し圧接すると給水の放出は抑えられ、１２の水位面を一定に保つことができる。このとき、止水用スポンジ４の弾力性により、浮き子式フロートバルブが傾いた場合も安定した水量調節が可能となる。【００１７】  水位面１２により維持される水面位置による水圧により、土壌など給水対象とする媒質に対しては１１の浸透型給水チューブを接続してそれに適当な水圧を設定することができ、浸透給水することができる。さらに、１４の水槽または水盤内の適当な高さに浮き子式フロートバルブを設置することにより、水位面１２と１５の水面は一致した高さとなり、１６の底面給水対象の植栽について給水を実施でき、さらに、１７に示すような水棲の動植物への給水補給も可能になる。【００１８】  広口ビン蓋１、広口ビン容器２、固定用ナット５、中空ネジ７、中空インジェクタノズル８は、プラスティック、金属、セラミック類などの剛性のある適当な材料で製作でき、止水パッキン６は、十分な止水性能をもつゴム状の材質により製作でき、浮力体３は、適当な材質の中空構造体や発泡プラスティック類により製作でき、止水用スポンジ４は、弾力性のある発泡ゴム等の材質で製作することができる。中空ネジ７は、プラスもしくはマイナスの丸ネジ、六角ボルト型など様々な頂部の形状のものを使用できる。
【図面の簡単な説明】
【００１９】
【図１】  本考案の給水器具の主要部斜視図である。
【図２】  本考案の給水機器を浸透型給水器とした場合の断面図である。
【図３】  本考案の給水機器を底面式給水器とした場合の断面図である。
【符号の説明】
【００２０】  １    広口ビン蓋
２    広口ビン容器
３    浮力体
４    止水用スポンジ
５    固定用ナット
６    止水パッキン
７    中空ネジ
８    中空インジェクタノズル
９    給水用水源とする液体用容器
１０  土壌など給水対象となる媒質
１１  浸透型給水チューブ
１２  水位面
１３  連結用ホース
１４  水槽もしくは水盤
１５  水面
１６  底面給水対象の植栽
１７  水棲の動植物
【図１】
0003127768.tif 000003
【図２】
0003127768.tif 000004
【図３】
0003127768.tif 000005